(57)【特許請求の範囲】
【請求項１】
包装箱の外壁に切目線(6,7)を入れると共に、切目線(6,7)に臨む押込部(8)を設け、押込部(8)の押し込みに伴い形成された指穴に指を挿入し、外壁を外側へ引っ張ることにより、切目線(6,7)を破断させて、外壁を開くようにした包装箱の開封手段において、前記押込部(8)を、波状とした切目線(6)の同位相の隣り合う頂部間に、直線が屈曲した折線状の山折線(9)を入れて、切目線(6)と山折線(9)に挟まれた部分に形成し、押込部(8)の中間部分に、山折線(9)の屈曲部から切目線(6)の反対位相の頂部へかけて谷折線(10)を入れたことを特徴とする包装箱の開封手段。
【発明の詳細な説明】
【技術分野】
【０００１】
この発明は、包装箱を外壁の切目線に沿った切断に伴い開封するための開封手段に関するものである。
【背景技術】
【０００２】
従来、下記特許文献１には、開封手段を備えた包装箱として、図１１に示すようなものが記載されている。
【０００３】
この包装箱は、周囲の外壁をなす各側板５１，５２から延出したフラップ５３，５４で底面及び天面を閉止するものであり、その各側板５１，５２には、開封手段として、門形切目による舌片５５が形成されると共に、その端部付近から上角部へかけて鉤状の切目が断続するジッパ型の切目線５６が入れられている。
【０００４】
これにより、舌片５５を押し込み、その抜出穴に指を挿入し、抜出穴の上縁部を引き上げて切目線５６を破断させるだけで、容易に開封することができ、カップ入り食品等の商品を露出させて陳列することができる。
【先行技術文献】
【特許文献】
【０００５】
【特許文献１】特開２００４−３４４２３６号公報
【発明の概要】
【発明が解決しようとする課題】
【０００６】
しかしながら、上記のような包装箱の開封手段では、例えば、商品間に仕切を挟む包装形態とした場合、仕切が障害となって舌片５５をほとんど押し込むことができず、開封しにくくなるという問題がある。
【０００７】
また、包装箱の外壁全周に亘ってカットテープやライナカットによる引裂帯を設け、その始端部として外壁にＨ字状の切目を入れ、切目の内側を押し込んで引裂帯を引っ張り、外壁を切断する開封手段でも、同様に始端部の押込が困難になるという問題が生じる。
【０００８】
そこで、この発明は、内容物の形状や包装状態にかかわらず、包装箱を容易に開封できるようにすることを課題とする。
【課題を解決するための手段】
【０００９】
上記課題を解決するため、この発明では、包装箱の外壁に切目線を入れると共に、切目線に臨む押込部を設け、押込部の押し込みに伴い形成された指穴に指を挿入し、外壁を外側へ引っ張ることにより、切目線を破断させて、外壁を開くようにした包装箱の開封手段において、前記押込部を、波状とした切目線の同位相の隣り合う頂部間に、直線が屈曲した折線状の山折線を入れて、切目線と山折線に挟まれた部分に形成し、押込部の中間部分に、山折線の屈曲部から切目線の反対位相の頂部へかけて谷折線を入れたのである。
【発明の効果】
【００１０】
この発明に係る開封手段を備えた包装箱では、波状とした切目線に臨む押込部を押し込んでも、押込部が箱内にあまり深く入り込むことがなく、小さな押込部で十分に指が入る指穴を形成することができ、その指穴に指を入れて外壁を外側へ引っ張り、切目線を破断させて、包装箱を開封することができる。
【００１１】
また、押込部に臨む切目線が波状となっているので、側板を引っ張る際、指に局所的に圧力が作用しにくく、指に痛みを感じにくくなる。
【００１２】
さらに、カットテープやライナカットによる開封手段のように、開封後にゴミが発生することがない。
【００１３】
そのほか、この開封手段を備えた包装箱は、カットテープの貼着やライナカットを施す必要がなく、印刷や糊付を行なうフレキソグルアのダイカッタを用いて、低コストで製造することができる。
【図面の簡単な説明】
【００１４】
【図１】この発明の第１実施形態に係る開封手段を備えた包装箱のブランクを示す図
【図２】同上の開封手段の拡大図
【図３】同上の包装箱及びこれと共に使用する包装材料を示す分離状態の斜視図
【図４】同上の包装状態を示す斜視図
【図５】同上の開封過程を示す斜視図
【図６】同上の開封過程を示す斜視図
【図７】同上の開封状態を示す斜視図
【図８】この発明の第２実施形態に係る開封手段を示す拡大図
【図９】この発明の第３実施形態に係る開封手段を示す拡大図
【図１０】この発明の第４実施形態に係る開封手段を示す拡大図
【図１１】従来の開封手段を備えた包装箱の開封状態を示す斜視図
【発明を実施するための形態】
【００１５】
まず、この発明の第１実施形態に係る開封手段を備えた段ボール製包装箱について、図１乃至図７に基づいて説明する。
【００１６】
図１に示す包装箱のブランクでは、周囲の外壁をなす幅面及び長面の側板１，２が交互に連設され、側板１，２の下端及び上端に、包装箱の底面及び天面を閉するフラップ３，４が連設されている。また、一方の側板２の外側縁に継代片５が連設されている。
【００１７】
一方の側板１には、開封手段として、横方向に進行する連続波状の切目線６が側板２との境界から少し離れた位置まで入れられ、その両端から直交して切目線７が上下のフラップ３との境界まで入れられている。切目線６は、湾曲した切目が繋部を介して断続するものとされ、切目線７は、主として鉤状の切目が断続するジッパ型のものとされている。
【００１８】
また、この側板１には、図２に示すように、切目線６の両端の各１つの波をなす部分に臨んで押込部８が設けられている。この押込部８は、切目線６の同位相の隣り合う頂部間に、直線が屈曲した折線状の山折線９を入れて、切目線６と山折線９に挟まれた部分に形成されている。
【００１９】
押込部８の中間部分には、山折線９の屈曲部から切目線６の反対位相の頂部へかけて谷折線１０が入れられている。
【００２０】
ここで、山折線９は、段ボールの裏面から入れた押罫とされ、谷折線１０は、段ボールの表面から入れた押罫とされている。
【００２１】
このようなブランクから包装箱を組み立てて、図３に示すように、商品である飲料の缶Ｃの頭部にキャンペーンの景品入りキャップＥを取り付けた被包装物を包装する際には、各一対の側板１，２を角筒状に折り曲げ、継代片５を反対側の側板２に貼り付けて周壁を形成し、底面側のフラップ３，４を順次折り曲げて貼り合わせ、底面を閉止する。
【００２２】
そして、包装箱内の底部に段ボール製のパッド１２を敷き、その上にキャップＥ付きの缶Ｃを所定配置に並べ、各列の缶Ｃの間に段ボール製の仕切１１を挟み、キャップＥの上面に段ボール製のパッド１３を載せ、天面側のフラップ３，４を順次折り曲げて貼り合わせ、天面を閉止する。
【００２３】
一方、図４に示すように、包装箱を一方の側板１が上方へ向くように縦置きにして、包装箱からキャップＥ付きの缶Ｃを取り出す際には、図５に示すように、押込部８を押し込んで、切目線６の押込部８に臨む部分を破断させ、その押し込みに伴い形成された指穴に指を挿入する。
【００２４】
次に、図６に示すように、押込部８の端縁に指を掛け、側板１の切目線６の一方を外側へ引っ張って開放した後、図７に示すように、切目線６の他方を、その端縁に指を掛け、外側へ引っ張って開放する。このように側板１を開放すると、その開口部からキャップＥ付きの缶Ｃを取り出すことができる。
【００２５】
また、包装箱をフラップ３，４を底面とした横置きの状態でも、縦置きの場合と同様に開封することができる。
【００２６】
このような開封手段では、押込部８を押し込んだ際、押込部８が箱内にあまり深く入り込むことがなく、側板１における缶Ｃの内接部や仕切１１の位置を避けた小さな押込部８であっても、十分に指が入る指穴を形成することができる。
【００２７】
また、押込部８に臨む切目線６が波状となっているので、側板１を引っ張る際、指に局所的に圧力が作用しにくく、指に痛みを感じにくくなる。
【００２８】
さらに、カットテープやライナカットによる開封手段のように、開封後にゴミが発生することがない。
【００２９】
そのほか、この開封手段を備えた包装箱は、カットテープの貼着やライナカットを施す必要がなく、印刷や糊付を行なうフレキソグルアのダイカッタを用いて、低コストで製造することができる。
【００３０】
なお、上記実施形態では、切目線６が連続する複数の波から成り、その両端から切目線７が直交方向に延びるものを例示したが、図８に示す第２実施形態に係る開封手段のように、切目線６が１つの波でその両端から切目線７が斜め方向に延びるようにしてもよい。
【００３１】
また、切目線７は、外壁の切断時に押込部８を押し込んでそのまま引っ張る方向だけでなく、その反対側の端縁に指を掛けて引っ張る方向に延びるようにしてもよい。
【００３２】
また、図９に示す第３実施形態に係る開封手段のように、１つの波の切目線６の両端から切目線７が直交方向の一方に向けて平行に延びるようにしてもよい。
【００３３】
さらに、図１０に示す第４実施形態に係る開封手段のように、１つの波の切目線６の両端から切目線７が複数の弧を描くように連続するようにしてもよい。
【００３４】
そのほか、谷折線１０は、山折線９の屈曲部から切目線６の反対位相の頂部へかけて、二股に分かれるＶ字状又はＹ字状に入れてもよく、複数本平行に入れてもよい。
【符号の説明】
【００３５】
１，２  側板
３，４  フラップ
５  継代片
６，７  切目線
８  押込部
９  山折線
１０  谷折線
１１  仕切
１２，１３  パッド
Ｃ  缶
Ｅ  キャップ
【図１】
0005639002.tif 000002
【図２】
0005639002.tif 000003
【図３】
0005639002.tif 000004
【図４】
0005639002.tif 000005
【図５】
0005639002.tif 000006
【図６】
0005639002.tif 000007
【図７】
0005639002.tif 000008
【図８】
0005639002.tif 000009
【図９】
0005639002.tif 000010
【図１０】
0005639002.tif 000011
【図１１】
0005639002.tif 000012